(57)【要約】    【課題】  高流量機能と低流量機能とを備えた電動過給機を有するエンジンの過給装置において、予回転制御又は予圧制御の性能を確保しつつ、吸気温度の上昇を抑制する。    【解決手段】  過給領域及び過給領域よりも低負荷側の所定領域で過給機を作動させるエンジンの過給装置であって、電動過給機は、回転数Ｎ１以上の領域でエンジン出力トルクを増大させる高流量機能と、回転数Ｎ１よりも高い回転数Ｎ２以下の領域でトルクを増大させる低流量機能とを有すると共に、回転数Ｎ３で高流量、低流量機能によるトルクが略同一となる構成を有し、過給領域又は所定領域で、回転数Ｎ３未満の領域では低流量機能を使用し、回転数Ｎ２以上の領域では高流量機能を使用し、回転数Ｎ３以上回転数Ｎ２未満の領域では吸気温度がβ未満のときは高流量機能、β以上のときは低流量機能を使用する。【選択図】    図６
2007187080.tif 000002
【特許請求の範囲】
【請求項１】
電動過給機が配設された過給通路と、該過給通路における過給機の上、下流側をバイパスすると共にバイパス制御弁が配設されたバイパス通路とを有し、エンジンの運転状態が所定の過給領域にあるときに過給機を作動させると共にバイパス制御弁を閉作動させ、かつ前記過給領域よりも低負荷側に設定された所定領域で過給機を作動させる過給機制御手段が備えられたエンジンの過給装置であって、
前記電動過給機の下流側の吸気温度を検出する吸気温度検出手段が備えられ、
前記電動過給機は、第１所定回転数以上の領域においてエンジン出力トルクを増大させる高流量機能と、前記第１所定回転数よりも高い第２所定回転数以下の領域においてエンジン出力トルクを増大させる低流量機能とを有すると共に、前記第１所定回転数と第２所定回転数との間の第３所定回転数で高流量機能によるエンジン出力トルクと低流量機能によるエンジン出力トルクとが略同一となる構成を有し、かつ、
前記過給機制御手段は、エンジンの運転領域が前記過給領域又は前記所定領域にあるときに、前記第３所定回転数未満の領域においては低流量機能を使用し、前記第２所定回転数以上の領域においては高流量機能を使用すると共に、前記第３所定回転数以上第２所定回転数未満の領域においては前記吸気温度検出手段により検出された吸気温度が所定温度未満のときは高流量機能を使用し、所定温度以上のときは低流量機能を使用することを特徴とするエンジンの過給装置。
【請求項２】
前記請求項１に記載のエンジンの過給装置において、
前記過給通路は、第１過給通路と該第１過給通路に並設された第２過給通路とを有し、前記過給機制御手段により制御されて前記第１、第２過給通路の開放を切換える過給通路切換弁が配設されていると共に、
前記電動過給機は、前記第１過給通路に配設された高流量型電動過給機と前記第２過給通路に配設された低流量型電動過給機とで構成され、かつ、
前記高流量機能使用時は、前記過給機制御手段により前記高流量型電動過給機が作動されると共に前記第１過給通路が開放されるように過給通路切換弁が切換えられ、
前記低流量機能使用時は、前記過給機制御手段により前記低流量型電動過給機が作動されると共に前記第２過給通路が開放されるように過給通路制御弁が切換えられることを特徴とするエンジンの過給装置。
【発明の詳細な説明】
【技術分野】
【０００１】
本発明は、電動過給機を有するエンジンの過給装置に関し、エンジンの吸気システムの技術分野に属する。
【背景技術】
【０００２】
従来より、エンジン出力トルクの増大を図る手段として吸気を過給するスーパーチャージャやターボチャージャが周知であるが、いずれも過給能力がエンジン回転数の影響を大きく受ける結果、低回転領域で過給圧が不足するという欠点がある。これに対し、電気的に駆動される電動過給機は、エンジン回転数の影響を受けることなく回転数を制御できるので、低回転領域でも十分な過給圧を発生し得る利点がある。
【０００３】
そして、このような電動過給機を備えたエンジンの過給装置として、特許文献１に開示されたものは、電動過給機が配設された過給通路と、該過給通路における過給機の上、下流側をバイパスすると共にバイパス制御弁が配設されたバイパス通路とを有している。そして、エンジンの運転状態が所定の過給領域にあるときに、過給機を作動させると共にバイパス制御弁が閉作動されるので、過給機の作動により新気が過給通路の上流側から吸入されて下流側に圧送され、この結果、充填効率が高められる。
【０００４】
さらに、この特許文献１に開示された過給装置は、エンジンの運転状態が過給領域に移行する前に予めバイパス制御弁を開いた状態で電動過給機を作動させる予回転制御を行うようになっている。予回転制御では、過給機により過給通路の下流側に吐出された空気の一部又は全部がバイパス通路を逆流し、再度過給通路における過給機の上流側に吸入されて下流側に圧送される。このように、予回転制御においては空気が過給通路及びバイパス通路を循環することになる。そして、この予回転制御により、予め過給機の回転数が高められるので、過給領域に移行した際の過給圧の応答性が向上する。
【０００５】
また、さらに過給圧の応答性を高めるために、運転状態が過給領域に移行する前に予めバイパス制御弁を略閉じた状態で電動過給機を作動させる予圧制御を行うことが提案されている。この予圧制御は、予め過給通路における過給機の下流側の圧力が高められるので、過給領域に移行した際の過給圧の応答性が向上するのである。
【特許文献１】特開２００３−２２７３４２号公報
【発明の開示】
【発明が解決しようとする課題】
【０００６】
ところで、低回転領域だけでなく、高回転領域においても過給により充填効率を高めたいという要求がある。これに対して、電動過給機に、空気流量を大きくして高回転側の領域においてエンジン出力トルクを増大可能な高流量機能と、空気流量を小さくして低回転側の領域においてエンジン出力トルクを増大可能な低流量機能とを備え、これらの高流量、低流量機能では圧力が略同一になるように構成し、回転数に応じていずれの機能を使用するかを切換えることが考えられる。
【０００７】
しかしながら、このように電動過給機が構成されている場合に、高流量機能を使用することによる吸気温度の上昇が問題になる。これは、電動過給機のモータが発熱する一方、前記高流量機能の使用時は、低流量機能の使用時に比べて単位時間あたりに吐出する空気流量が大きくなるので、過給機の下流側に発生する発熱量の総量が大きくなり、吸気温度の上昇を促進させるのである。このように吸気温度が上昇すると、充填効率の低下を招くことになる。
【０００８】
しかも、前述のように予回転制御或いは予圧制御が高流量機能を使用して行われる場合には、これらの制御中に吸気温度が上昇することになる。そして、このように吸気温度が上昇した状態で、運転状態が過給領域に移行したときに充填効率を低下させることになる。
【０００９】
これに対して、予回転制御又は予圧制御における過給機の回転数を低下させてモータの発熱を抑制することが考えられるが、このように回転数を低下させると、前記予回転制御又は予圧制御の性能を低下させ、過給圧の応答性を向上させる本来の効果が低減される。
【００１０】
そこで、本発明は、高流量機能と低流量機能とを備えた電動過給機を有するエンジンの過給装置において、予回転制御又は予圧制御の性能を確保しつつ、吸気温度の上昇を抑制することを課題とする。
【課題を解決するための手段】
【００１１】
前記課題を解決するため、本発明は次のように構成したことを特徴とする。
【００１２】
まず、本願の請求項１に記載の発明は、電動過給機が配設された過給通路と、該過給通路における過給機の上、下流側をバイパスすると共にバイパス制御弁が配設されたバイパス通路とを有し、エンジンの運転状態が所定の過給領域にあるときに過給機を作動させると共にバイパス制御弁を閉作動させ、かつ前記過給領域よりも低負荷側に設定された所定領域で過給機を作動させる過給機制御手段が備えられたエンジンの過給装置であって、前記電動過給機の下流側の吸気温度を検出する吸気温度検出手段が備えられ、前記電動過給機は、第１所定回転数以上の領域においてエンジン出力トルクを増大させる高流量機能と、前記第１所定回転数よりも高い第２所定回転数以下の領域においてエンジン出力トルクを増大させる低流量機能とを有すると共に、前記第１所定回転数と第２所定回転数との間の第３所定回転数で高流量機能によるエンジン出力トルクと低流量機能によるエンジン出力トルクとが略同一となる構成を有し、かつ、前記過給機制御手段は、エンジンの運転領域が前記過給領域又は前記所定領域にあるときに、前記第３所定回転数未満の領域においては低流量機能を使用し、前記第２所定回転数以上の領域においては高流量機能を使用すると共に、前記第３所定回転数以上第２所定回転数未満の領域においては前記吸気温度検出手段により検出された吸気温度が所定温度未満のときは高流量機能を使用し、所定温度以上のときは低流量機能を使用することを特徴とする。
【００１３】
なお、前記所定領域とは、バイパス制御弁が開作動されて予回転制御が行われる予回転領域、及びバイパス制御弁が略閉作動されて予圧制御が行われる予圧領域を含む。
【００１４】
また、請求項２に記載の発明は、前記請求項１に記載のエンジンの過給装置において、前記過給通路は、第１過給通路と該第１過給通路に並設された第２過給通路とを有し、前記過給機制御手段により制御されて前記第１、第２過給通路の開放を切換える過給通路切換弁が配設されていると共に、前記電動過給機は、前記第１過給通路に配設された高流量型電動過給機と前記第２過給通路に配設された低流量型電動過給機とで構成され、かつ、前記高流量機能使用時は、前記過給機制御手段により前記高流量型電動過給機が作動されると共に前記第１過給通路が開放されるように過給通路切換弁が切換えられ、前記低流量機能使用時は、前記過給機制御手段により前記低流量型電動過給機が作動されると共に前記第２過給通路が開放されるように過給通路制御弁が切換えられることを特徴とする。
【発明の効果】
【００１５】
まず、請求項１に記載の発明によれば、電動過給機は、第１所定回転数以上の高回転側の領域においてエンジン出力トルクを増大させる高流量機能と、前記第１所定回転数よりも高い第２所定回転数以下の低回転側の領域においてエンジン出力トルクを増大させる低流量機能とを有している。そして、前記高流量機能が使用される領域の低回転側と前記低流量機能が使用される領域の高回転側がオーバーラップしており、このオーバーラップする領域において、高流量機能及び低流量機能使用時に第３所定回転数において略同一のエンジン出力トルクが得られるようになっている。
【００１６】
そして、過給機制御手段は、エンジンの運転領域が前記過給領域或いは所定領域にあるときに、前記第３所定回転数未満の領域においては低流量機能を使用する。このとき、低流量機能を使用することにより予回転制御、予圧制御、及び過給が行われることになるので、応答性を確保しつつ、エンジン出力トルクを増大させる。
【００１７】
また、前記第１所定回転数以上の領域においては高流量機能を使用するようになっている。このとき、高流量機能を使用することにより予回転制御、予圧制御、及び過給が行われることになるので、応答性を確保しつつ、エンジン出力トルクを増大させる。
【００１８】
さらに、前記第３所定回転数以上第２所定回転数未満の領域においては前記吸気温度検出手段により検出された吸気温度が所定温度未満のときは高流量機能を使用し、所定温度以上のときは低流量機能を使用するようになっている。前述のようにこの第３所定回転数以上第２所定回転数未満の領域では、高流量機能と低流量機能とのいずれを使用してもエンジン出力トルクと増大可能であるから、吸気温度が低いときは高流量機能を使用することにより予回転制御、予圧制御、及び過給が行われて、応答性を確保しつつ、エンジン出力トルクを増大させる。また、吸気温度が高いときは、低流量機能を使用することにより、吸気温度の上昇が抑制されつつ、予回転制御、予圧制御、及び過給が行われて、応答性を確保しつつ、エンジン出力トルクを増大させる。このように、吸気温度が高いときは、低流量機能が使用されることにより吸気温度の上昇が抑制されて、充填効率の低下が抑制される。
【００１９】
そして、請求項２に記載の発明によれば、前記過給通路が並列配置の第１過給通路と第２過給通路とで構成され、第１、第２過給通路の開放を切換える過給通路切換弁が設けられた構成において、第１過給通路に高流量型電動過給機、第２過給通路に低流量型電動過給機がそれぞれ配設されている。そして、前記過給機制御手段により前記高流量型電動過給機が作動されると共に前記第１過給通路が開放されるように過給通路切換弁が切換えられることにより、所定圧力が維持されつつ流量が確保され、高流量機能が実現される。また、前記過給機制御手段により前記低流量型電動過給機が作動されると共に前記第２過給通路が開放されるように過給通路制御弁が切換えられることにより、前記所定圧力と同様の圧力が維持されつつ流量が低減し、低流量機能が実現される。このように、特別な仕様の電動過給機を用いることなく、通常用いられる２つの電動過給機を並列に配置することによって、高流量機能と低流量機能とが容易に切換可能となる。
【発明を実施するための最良の形態】
【００２０】
以下、本発明の第１の実施の形態について説明する。
【００２１】
図１は、本実施の形態に係るエンジンの吸気システム１を示している。この吸気システム１において、前記吸気通路２は、上流側にエアクリーナ３が配設されていると共に、高流量型電動過給機４が配設された第１過給通路２１と、該第１過給通路における高流量型電動過給機４の上、下流側に亘って設けられて低流量型電動過給機５が配設された第２過給通路２２と、前記第１過給通路２１における高流量型電動過給機４の上、下流側をバイパスすると共にバイパス制御弁６が配設されたバイパス通路２３と、該過給通路２１の下流側とバイパス通路２３の下流側とを合流して形成されると共にスロットル弁７が配設された合流通路２４とを有している。また、該合流通路２４の下流側にはサージタンク２５が設けられ、該サージタンク２５から各気筒＃１〜＃４に通じる複数の独立吸気通路２６…２６が分岐されている。
【００２２】
前記第１過給通路２１における第２過給通路２２の分岐部２１ａには、過給通路切換弁８が配設され、該切換弁８により第１、第２過給通路２１，２２の一方を開放し、他方を閉塞するようになっている。また、前記バイパス制御弁６は、開閉することによりバイパス通路２３を通過する空気流量を制限可能となっている。
【００２３】
また、前記高流量型電動過給機４は、インペラ４ａと該インペラ４ａを回転させるモータ４ｂとを有している。図２に示すように、前記インペラ４ａは、回転軸４０から放射状に羽根４１…４１が設けられた構造である。
【００２４】
前記低流量型電動過給機５は、同様にインペラ５ａと該インペラ５ａを回転させるモータ５ｂとを有している。図３（ａ）に示すように、この過給機５におけるインペラ５ａは、前記高流量型電動過給機４のインペラ４ａに対して、全体的にサイズが縮小されたものとなっている。また、この低流量型電動過給機５は、図３（ｂ）に示すように、インペラ５ａ′の回転軸５０から放射状に設けられた羽根５１…５１がトリミングされたものであってもよい。このトリミングは、羽根５１…５１における図中上部と側部とに亘って設けられた曲線部５１ａ…５１ａを削るようになっている。
【００２５】
そして、図４に前記高流量型、低流量型電動過給機４，５の空気流量と過給機４，５の上、下流側の圧力比とに応じた過給効率の特性を示す。それぞれの特性は、等効率ラインとしての複数の円周が描かれており、これらの円周のうち中心側のもの程過給効率が高くなっている。それぞれの円周の低空気流量側にはサージングラインがあり、このラインよりも低流量側或いは高圧力比側においては、吸気が電動過給機４を逆流するサージングが起こる可能性が高くなっている。
【００２６】
そして、実線で示すのが高流量型電動過給機４の特性であり、この特性における高効率の等効率ラインの円周は、破線で示す低流量型電動過給機５の高効率の等効率ラインの円周よりも高空気流量側に形成されている。そして、破線で示す低流量型電動過給機５の特性は、効率的に運転したときに、高流量型電動過給機４に対して空気流量を抑制しつつ同様の圧力が得られるようになっている。
【００２７】
一方、この吸気システム１を制御する吸気システムコントローラ１００が備えられている。この吸気システムコントローラ１００は、エンジン全体の制御を行うエンジン制御装置１０１から各種信号を入力すると共に、前記高流量型、低流量型電動過給機４，５のモータ４ａ，５ａへの通電量をそれぞれ制御する電動過給機コントローラ１０２に信号を出力するようになっている。
【００２８】
前記エンジン制御装置１０１は、エンジン負荷を検出するものとしてアクセルペダル３０ａの踏込み量を検出するアクセル開度センサ３０からの信号や、エンジン回転数を検出するエンジン回転数センサ３１からの信号等を入力する。そして、吸気システムコントローラ１００は、エンジン制御装置１０１から信号を入力すると共に、第１過給通路２１における第２過給通路２２との合流部２１ｂに配設されて吸気温度を検出する吸気温度センサ３２からの信号を入力し、これらの信号に基づいて、バイパス制御弁６を作動させるバイパス制御弁アクチュエータ３３、スロットル弁７を作動させるスロットルアクチュエータ３４、過給通路制御弁８を作動させる過給通路制御弁アクチュエータ３５、及び電動過給機コントローラ１０２に各種の制御信号を出力する。
【００２９】
また、前記電動過給機コントローラ１０２に電力供給を行うバッテリ１１０と、エンジン駆動により発電して該バッテリ１１０を充電するオルタネータ１１１とが備えられている。
【００３０】
一方、エンジン制御装置１０１には、図５に示すようなエンジン回転数とアクセル開度とに応じた制御マップが記憶されている。この制御マップは、高回転側（エンジン回転数Ｎ以上）に自然吸気領域が設定され、低回転低負荷側（エンジン回転数Ｎ未満アクセル開度α未満）に予回転領域が設定され、低回転高負荷側（エンジン回転数Ｎ未満アクセル開度α以上）に過給領域が設定されている。また、前記高流量型電動過給機４は、回転数Ｎ１以上回転数Ｎ未満の領域のエンジン出力トルクを増大可能であり、前記低流量型電動過給機５は、前記回転数Ｎ１より高い回転数Ｎ２未満の領域のエンジン出力トルクを増大可能となっている。そして、高流量型電動過給機４によりトルク増大可能な領域の低回転側と低流量型電動過給機５によりトルク増大可能な領域の高回転側とがオーバーラップしている。このため、回転数Ｎ１以上回転数Ｎ２未満の領域は、高流量型、低流量型電動過給機４，５共にトルク増大可能な領域となっており、この領域内の回転数Ｎ３において両過給機４，５の過給により同一のエンジン出力トルクが得られる。
【００３１】
なお、前記吸気温度センサ３２は請求項１に記載のエンジンの過給装置における吸気温度検出手段に相当し、前記吸気システムコントローラ１００は過給機制御手段に相当する。また、前記回転数Ｎ１が第１所定回転数、前記回転数Ｎ２が第２所定回転数、前記回転数Ｎ３が第３所定回転数に相当する。
【００３２】
次に、前記吸気システム１の制御を図６のフローチャートに基づいて説明する。
【００３３】
まず、ステップＳ１で、各種信号の読み込みを行う。ここで読み込まれる信号は、アクセル開度センサ３０によるアクセル開度の信号、エンジン回転数センサ３１によるエンジン回転数の信号、吸気温度センサ３２による吸気温度の信号等である。
【００３４】
次に、ステップＳ２で、これらの信号に基づいて吸入空気量を演算する。そして、ステップＳ３で、前記ステップＳ１で読み込んだエンジン回転数が図５に示したマップの回転数Ｎ未満であるか否かについて判定を行う。ここで、エンジン回転数が回転数Ｎ以上である（ＮＯ）と判定されたときは、エンジンの運転状態が自然吸気領域にあるから、ステップＳ４に進み、バイパス制御弁アクチュエータ３３に信号を出力してバイパス制御弁６を全開に制御すると共に、ステップＳ５で、高流量型、低流量型電動過給機４，５を共に停止させる。
【００３５】
この自然吸気領域の制御においては、外気から吸気通路２に吸入された新気は、図１に矢印Ａで示すように、バイパス通路２３を通過して合流通路２４に導入され、エンジンの燃焼室に吸入される。
【００３６】
一方、前記ステップＳ３でエンジン回転数が回転数Ｎ未満である（ＹＥＳ）と判定されたときは、ステップＳ６に進み、前記ステップＳ１で読み込んだアクセル開度が図５に示したマップの所定値α未満であるか否かについて判定する。そして、アクセル開度が所定値α未満である（ＹＥＳ）と判定されたときは、エンジンの運転状態が予回転領域にあるから、ステップＳ７でバイパス制御弁アクチュエータ３３に信号を出力してバイパス制御弁６を全開に制御し、ステップＳ８でエンジン回転数が図５に示したマップの回転数Ｎ３未満であるか否かについて判定を行う。
【００３７】
ここで、エンジン回転数が回転数Ｎ３未満である（ＹＥＳ）と判定されたときは、ステップＳ９で高流量型電動過給機４を停止させると共に低流量型電動過給機５を作動させ、ステップＳ１０で過給通路切換弁アクチュエータ３５に信号を出力して過給通路制御弁８を低流量側である第２過給通路２２が開放されるように制御する。
【００３８】
このように制御される結果、運転状態が予回転領域における回転数Ｎ３未満の領域にあるときは、外気から吸気通路２に吸入された空気は、第１過給通路２１において分岐部２１ａから第２過給通路２２に導入される。そして、この空気が低流量型電動過給機５の作動により該過給機５の下流側に吐出され、第１過給通路２１の合流部２１ｂを通過し、バイパス通路２３との合流部２１ｃに至る。そして、バイパス制御弁６が全開にされているので、合流部２１ｃの空気の一部又は全部が図１の矢印Ｂに示すようにバイパス通路２３を逆流し、再び第１過給通路２１に導入され、第２過給通路２２を通って低流量型電動過給機５に吸入される。つまり、この回転数Ｎ３未満の領域における予回転制御では、第１過給通路２１における分岐部２１ａの上流側、第２過給通路２２、第１過給通路２１における合流部２１ｂの下流側、バイパス通路２３を空気が循環することになる。
【００３９】
一方、前記ステップＳ８で、エンジン回転数が回転数Ｎ３以上である（ＮＯ）と判定されたときは、ステップＳ１１に進み、エンジン回転数が図５のマップに示した回転数Ｎ２未満であるか否かについて判定を行う。
【００４０】
ここで、エンジン回転数が回転数Ｎ２以上である（ＮＯ）と判定されたときは、ステップＳ１２に進み、高流量型電動過給機４を作動させると共に低流量型電動過給機を停止させ、ステップＳ１３で過給通路切換弁アクチュエータ３５に信号を出力して過給通路制御弁８を高流量型である第１過給通路２１が開放されるように制御する。
【００４１】
このように制御される結果、運転状態が予回転領域における回転数Ｎ２以上の領域にあるときは、外気から過給通路２に導入された空気は、第１過給通路２１を通って高流量型電動過給機４に吸入され、該過給機４の作動により下流型に吐出される。そして、第１過給通路２１のバイパス通路２３との合流部２１ｃに到達した空気の一部又は全部が図１の矢印Ｂに示すようにバイパス通路２３を逆流し、再び第１過給通路２１に導入され、該過給通路２１を通って高流量型電動過給機４に吸入される。つまり、この回転数Ｎ２以上回転数Ｎ未満の領域では、第１過給通路２１及びバイパス通路２３を空気が循環することになる。
【００４２】
一方、前記ステップＳ１１で、エンジン回転数が回転数Ｎ２未満である（ＹＥＳ）と判定されたときは、ステップＳ１４に進み、前記ステップＳ１で読み込んだ吸気温度が所定温度β未満であるか否かについて判定を行う。そして、吸気温度が所定温度β未満である（ＹＥＳ）と判定されたときはステップＳ１２に進み、高流量型電動過給機４を使用した予回転制御を行う。また、所定温度β以上である（ＮＯ）と判定されたときはステップＳ９に進み、低流量型電動過給機５を使用した予回転制御を行う。
【００４３】
また、前記ステップＳ６で、アクセル開度が所定値α以上である（ＮＯ）と判定されたときは、エンジンの運転状態が過給領域にあるから、ステップＳ１５に進み、バイパス制御弁アクチュエータ３３に信号を出力してバイパス制御弁６を全閉に制御すると共に、ステップＳ８に進み、エンジン回転数がＮ３未満であるか否かを判定する。
【００４４】
ステップＳ８で、エンジン回転数が回転数Ｎ３未満である（ＹＥＳ）と判定されたときは、ステップＳ９で高流量型電動過給機４を停止させると共に低流量型電動過給機５を作動させ、ステップＳ１０で過給通路切換弁アクチュエータ３５に信号を出力して過給通路制御弁８を低流量側である第２過給通路２２が開放されるように制御する。
【００４５】
このように制御される結果、運転状態が過給領域における回転数Ｎ３未満の領域にあるときは、外気から吸気通路２に吸入された空気は、第１過給通路２１において分岐部２１ａから第２過給通路２２に導入される。そして、この空気が低流量型電動過給機５の作動により該過給機５の下流側に吐出され、第１過給通路２１の合流部２１ｂを通過し、バイパス通路２３との合流部２１ｂに至る。そして、バイパス制御弁６が全閉にされているので、図１の矢印Ｃで示すように、合流部２１ｂの空気が合流通路２４に導入され、エンジンの燃焼室に導入される。
【００４６】
一方、前記ステップＳ８で、エンジン回転数が回転数Ｎ３以上である（ＮＯ）と判定されたときは、ステップＳ１１に進み、エンジン回転数が回転数Ｎ２未満であるか否かについて判定を行う。
【００４７】
ここで、エンジン回転数が回転数Ｎ２以上である（ＮＯ）と判定されたときは、ステップＳ１２に進み、高流量型電動過給機４を作動させると共に低流量型電動過給機５を停止させ、ステップＳ１３で過給通路切換弁アクチュエータ３５に信号を出力して過給通路制御弁８を高流量型である第１過給通路２１が開放されるように制御する。
【００４８】
このように制御される結果、運転状態が過給領域における回転数Ｎ２以上の領域にあるときは、外気から過給通路２に導入された空気は、第１過給通路２１を通って高流量型電動過給機４に吸入され、該過給機４の作動により下流型に吐出される。そして、第１過給通路２１の下流側に到達した空気が図１の矢印Ｃで示すように、合流通路２４に導入され、エンジンの燃焼室に導入される。
【００４９】
一方、前記ステップＳ１１で、エンジン回転数が回転数Ｎ２未満である（ＹＥＳ）と判定されたときは、ステップＳ１４に進み、前記ステップＳ１で読み込んだ吸気温度が所定温度β未満であるか否かについて判定を行う。
【００５０】
そして、吸気温度が所定温度β未満である（ＹＥＳ）と判定されたときはステップＳ１２に進み、高流量型電動過給機４を使用した過給が行われる。
【００５１】
このように、吸気温度が低いときは、図７の特性図に示すように、エンジン回転数が回転数Ｎ３未満では低流量型電動過給機５の作動により自然吸気のみ、或いは予回転制御時のエンジントルク以上のトルクが得られ、エンジン回転数が回転数Ｎ３以上では高流量型電動過給機４の作動により同様にエンジン出力トルクを増大させることになる。
【００５２】
また、前記ステップＳ１４で、所定温度β以上である（ＮＯ）と判定されたときはステップＳ９に進み、低流量型電動過給機５を使用した過給が行われる。
【００５３】
このように、吸気温度が高いときは、図８の特性図に示すように、エンジン回転数が回転数Ｎ３以上回転数Ｎ２未満では低流量型電動過給機５の作動によりエンジン出力トルクを増大させることになる。
【００５４】
以上のように、前記の吸気システム１の制御によれば、吸気温度が低いときは、回転数Ｎ３未満の領域では低流量型電動過給機５を使用し、回転数Ｎ３以上回転数Ｎ未満の領域では高流量型電動過給機４を使用すると共に、吸気温度が高いときは、回転数Ｎ２未満の領域では低流量型電動過給機５を使用し、回転数Ｎ２以上の領域では高流量型電動過給機４を使用するようになっている。
【００５５】
一方、高流量型電動過給機４が使用されたときは、単位時間当りの空気の流量が大きいので、低流量型電動過給機５が使用されたときに比べて、モータの発熱により昇温された空気がより多く下流側に吐出されることになり、吸気の昇温が促される。このため、前述のように吸気温度が高いときは、回転数Ｎ３以上回転数Ｎ２未満の領域においては低流量型電動過給機５が使用されるので、吸気温度の上昇が抑制される。この結果、充填効率の低下が抑制されることになる。なお、回転数Ｎ３以上回転数Ｎ２未満の領域では、高流量型、低流量型電動過給機５，５のいずれを使用してもエンジン出力トルクを増大させることができ、高流量型電動過給機４を使用したときに比べて得られるエンジン出力トルクは小さくなるのであるが、低流量型電動過給機５を使用してもエンジン出力トルクを増大させる効果が得られる。
【００５６】
また、予回転領域においても、前記過給領域と同様に、回転数Ｎ３以上回転数Ｎ２未満の領域においては、低流量型電動過給機５を作動させることにより、予回転制御中の吸気温度の上昇が抑制されるようになっている。そして、運転状態が予回転領域から過給領域に移行したときに、過給圧の応答性が確保されると共に、充填効率の低下が回避されることになる。
【００５７】
なお、この実施の形態では、２つの電動過給機４，５を配置することにより、空気流量が大きく所定圧力が得られる高流量機能と、空気流量が小さく前記所定圧力が得られる低流量機能とを備えるようになっているが、これに限らず、１つの電動過給機にこのような高流量機能と低流量機能とを備えるようにしてもよい。
【００５８】
次に、本発明の第２の実施の形態について説明する。
【００５９】
この実施の形態は、前記第１の実施の形態に対して装置構成は同様で、図９に示すように、制御マップの予回転領域が予圧領域に変更されたものである。そして、吸気システム１は、このマップを用いると共に、図１０に示すフローチャートに従って制御される。なお、このフローチャートは、図６に示したフローチャートに対して、ステップＳ７がステップＳ２７に変更されたものであり、ステップＳ１〜Ｓ６、Ｓ８〜Ｓ１５はそれぞれステップＳ２１〜Ｓ２６、Ｓ２８〜Ｓ３５に対応する。以下に、本実施の形態の特徴的な部分についてのみ説明する。
【００６０】
即ち、ステップＳ２３でエンジン回転数が回転数Ｎ未満と判定され、かつステップＳ２６でアクセル開度が所定値α未満であると判定されたときは、エンジンの運転状態が予圧領域にあるから、ステップＳ２７でバイパス制御弁アクチュエータ３３に信号を出力して、バイパス制御弁６を略閉じるように制御する。
【００６１】
そして、ステップＳ２８の判定において、エンジン回転数が回転数Ｎ３未満である（ＹＥＳ）と判定されたときは、ステップＳ２９で、高流量型電動過給機４を停止させると共に低流量型電動過給機５を作動させ、ステップＳ３０で過給通路切換弁アクチュエータ３５に信号を出力して過給通路切換弁８を第２過給通路２２が開放するように制御する。
【００６２】
このように制御される結果、運転状態が予圧領域における回転数Ｎ３未満の領域にあるときは、外気から吸気通路２に吸入された空気は、第１過給通路２１において分岐部２１ａから第２過給通路２２に導入される。そして、この空気が低流量型電動過給機５の作動により該過給機５の下流側に吐出されるが、バイパス制御弁６が略閉じられているので、バイパス通路２３を逆流する空気は少量であり、吐出された空気は専ら過給機５の下流側の圧力を高めることに寄与することになる。
【００６３】
一方、ステップＳ２８の判定において、エンジン回転数が回転数Ｎ３以上である（ＮＯ）と判定されたときは、ステップＳ３１で、エンジン回転数が回転数Ｎ２未満であるか否かについて判定を行う。ここで回転数Ｎ２以上である（ＮＯ）と判定されたときは、ステップＳ３２で、高流量型電動過給機４を作動させると共に低流量型電動過給機５を停止させ、ステップＳ３３で、過給通路切換弁アクチュエータ３５に信号を出力して過給通路切換弁８を第１過給通路２１が開放するように制御する。
【００６４】
このように制御される結果、運転状態が予圧領域における回転数Ｎ２以上の領域にあるときは、外気から吸気通路２に吸入された空気は、第１過給通路２１を通って高流量型電動過給機４に吸入される。そして、この空気が過給機４から下流側に吐出され、過給機４の下流側の圧力を高めることになる。
【００６５】
一方、前記ステップＳ３１で、エンジン回転数が回転数Ｎ２未満である（ＹＥＳ）と判定されたときは、ステップＳ３４に進み、前記ステップＳ２１で読み込んだ吸気温度が所定温度β未満であるか否かについて判定を行う。そして、吸気温度が所定温度β未満である（ＹＥＳ）と判定されたときはステップＳ３２に進み、高流量型電動過給機４を使用した予圧制御を行い、吸気温度が所定温度β以上である（ＮＯ）と判定されたときはステップＳ２９に進み、低流量型電動過給機５を使用した予圧制御を行う。
【００６６】
また、前記ステップＳ２６で、アクセル開度が所定値α以上である（ＮＯ）と判定されたときは、エンジンの運転状態が過給領域にあるから、バイパス制御弁６が全閉とされ、前記第１の実施の形態と同様の過給の制御が行われるようになっている。
【００６７】
即ち、過給領域においては、図１１に示すように、吸気温度が低いときは、回転数Ｎ３未満の領域では低流量型電動過給機５の使用によりエンジン出力トルクが増大され、回転数Ｎ３以上の領域では高流量電動過給機４の使用によりエンジン出力トルクが増大されるようになっている。また、図１２に示すように、吸気温度が高いときは、回転数Ｎ２未満の領域では低流量型電動過給機５の使用によりエンジン出力トルクが増大され、回転数Ｎ２以上の領域では高流量電動過給機４の使用によりエンジン出力トルクが増大されるようになっている。
【００６８】
以上のように、この実施の形態においても、吸気温度が高いときは、回転数Ｎ３以上回転数Ｎ２未満の領域では、過給時、予圧制御時共に、低流量型電動過給機５が使用されるので、吸気温度の上昇による充填効率の低下が抑制される。
【００６９】
次に、本発明の第３の実施の形態を説明する。
【００７０】
この実施の形態は、前記第１の実施の形態に対して装置構成は同様で、制御マップが異なるものである。即ち、この実施の形態に係る制御マップは、図１３に示すように、全回転数領域に亘って低負荷側（アクセル開度α未満）に予回転領域、高負荷側（アクセル開度α以上）に過給領域が設定されている。過給領域においては、回転数Ｎ１以上の領域を高流量型電動過給機４により過給し、前記回転数Ｎ１よりも大きい値の回転数Ｎ２未満の領域を低流量型電動過給機５により過給するようになっており、前記回転数Ｎ１以上回転数Ｎ２未満の領域において、高流量、低流量型電動過給機４，５の両方において過給可能であり、回転数Ｎ３において同一のエンジン出力トルクが得られることがわかっている。
【００７１】
そして、この実施の形態における吸気システム１の制御を図１４のフローチャートに示す。このフローチャートは、図６のフローチャートにおいてステップＳ３〜Ｓ５を取り除いたものとなっており、ステップＳ１〜Ｓ２、ステップＳ６〜Ｓ１５がそれぞれステップＳ４１〜Ｓ５２に対応する。
【００７２】
このとき、自然吸気領域の制御は存在せず、運転領域はステップＳ４３の判定において、必ず予回転領域若しくは過給領域に判定されることになる。このときの制御においても、前記第１の実施の形態と同様に、回転数Ｎ３以上回転数Ｎ２未満の領域においては、吸気温度が高いときは低流量型電動過給機５が使用され、吸気温度が低いときは高流量型電動過給機４が使用される。
【００７３】
そして、過給領域に移行したときに、吸気温度が低いときは、図１５に示すように、回転数Ｎ３未満の領域においては低流量型電動過給機５の使用によりエンジン出力トルクが増大され、回転数Ｎ３以上の領域においては高流量型電動過給機４の使用によりエンジン出力トルクが増大されると共に、吸気温度が高いときは、図１６に示すように、回転数Ｎ２未満の領域においては低流量型電動過給機５の使用によりエンジン出力トルクが増大され、回転数Ｎ２以上の領域においては高流量型電動過給機４の使用によりエンジン出力トルクが増大されることになる。
【００７４】
この実施の形態によれば、高流量型電動過給機４と低流量型電動過給機５の切換により低回転から高回転に亘る広い領域においてエンジン出力トルクを増大させることが可能となっており、このように構成されたものに対して、回転数Ｎ３以上回転数Ｎ２未満の領域においては、低流量型電動過給機５を使用することにより過給、或いは予回転制御が行われるので、吸気温度の上昇による充填効率の低下が抑制される。
【００７５】
次に、本発明の第４の実施の形態について説明する。
【００７６】
この実施の形態は、前記第３の実施の形態に対して装置構成は同様で、図１７に示すように、制御マップにおける予回転領域が予圧領域に変更されたものとなっている。そして、この実施の形態における吸気システム１の制御を図１８のフローチャートに示すが、このフローチャートは、前記第３の実施の形態の図１４に示したフローチャートにおけるステップＳ４４を、ステップＳ６４に変更したものとなっており、ステップＳ４１〜Ｓ４３、Ｓ４５〜Ｓ５２がそれぞれステップＳ６１〜Ｓ６３、Ｓ６５〜Ｓ７２に対応する。
【００７７】
即ち、運転領域は、ステップＳ６３の判定において、必ず予圧領域若しくは過給領域に判定されることになる。そして、このときの制御においても、回転数Ｎ３以上回転数Ｎ２未満の領域においては、吸気温度が高いときは低流量型電動過給機５が使用され、吸気温度が低いときは高流量型電動過給機４が使用される。
【００７８】
そして、前記第３の実施の形態と同様に、過給領域に移行したときに、吸気温度が低いときは、図１９に示すように、回転数Ｎ３未満の領域においては低流量型電動過給機５の使用によりエンジン出力トルクが増大され、回転数Ｎ３以上の領域においては高流量型電動過給機４の使用によりエンジン出力トルクが増大されると共に、吸気温度が高いときは、図２０に示すように、回転数Ｎ２未満の領域においては低流量型電動過給機５の使用によりエンジン出力トルクが増大され、回転数Ｎ２以上の領域においては高流量型電動過給機４の使用によりエンジン出力トルクが増大されることになる。
【００７９】
この実施の形態によれば、高流量型電動過給機４と低流量型電動過給機５の切換により低回転から高回転に亘る広い領域においてエンジン出力トルクを増大させることが可能となっており、このように構成されたものに対して、回転数Ｎ３以上回転数Ｎ２未満の領域においては、低流量型電動過給機５を使用することにより過給、或いは予圧制御が行われるので、吸気温度の上昇による充填効率の低下が抑制される。
【産業上の利用可能性】
【００８０】
本発明は、電動過給機を備えたエンジンの過給装置に関し、吸気温度が高いときは低回転機能を使用して予回転制御、予圧制御、過給が行われることにより、吸気温度の上昇が抑制される効果が得られるので、自動車産業に広く好適に利用可能である。
【図面の簡単な説明】
【００８１】
【図１】本発明の各実施の形態に係る吸気システムの全体図である。
【図２】高流量型電動過給機のインペラ形状の説明図である。
【図３】低流量型電動過給機のインペラ形状の説明図である。
【図４】高流量型、低流量型電動過給機の空気流量と圧力比とに応じた効率特性図である。
【図５】第１の実施の形態に係る制御マップである。
【図６】同吸気システムの制御のフローチャートである。
【図７】同吸気温度が低い時のエンジン出力トルクの特性図である。
【図８】同吸気温度が高い時のエンジン出力トルクの特性図である。
【図９】第２の実施の形態に係る制御マップである。
【図１０】同吸気システムの制御のフローチャートである。
【図１１】同吸気温度が低い時のエンジン出力トルクの特性図である。
【図１２】同吸気温度が高い時のエンジン出力トルクの特性図である。
【図１３】第３の実施の形態に係る制御マップである。
【図１４】同吸気システムの制御のフローチャートである。
【図１５】同吸気温度が低い時のエンジン出力トルクの特性図である。
【図１６】同吸気温度が高い時のエンジン出力トルクの特性図である。
【図１７】第４の実施の形態に係る制御マップである。
【図１８】同吸気システムの制御のフローチャートである。
【図１９】同吸気温度が低い時のエンジン出力トルクの特性図である。
【図２０】同吸気温度が高い時のエンジン出力トルクの特性図である。
【符号の説明】
【００８２】
１        吸気システム
４        高流量型電動過給機
５        低流量型電動過給機
６        バイパス制御弁
８        過給通路切換弁
２１      第１過給通路
２２      第２過給通路
２３      バイパス通路
３２      吸気温度センサ
１００    吸気システムコントローラ
【図１】
2007187080.tif 000003
【図２】
2007187080.tif 000004
【図３】
2007187080.tif 000005
【図４】
2007187080.tif 000006
【図５】
2007187080.tif 000007
【図６】
2007187080.tif 000008
【図７】
2007187080.tif 000009
【図８】
2007187080.tif 000010
【図９】
2007187080.tif 000011
【図１０】
2007187080.tif 000012
【図１１】
2007187080.tif 000013
【図１２】
2007187080.tif 000014
【図１３】
2007187080.tif 000015
【図１４】
2007187080.tif 000016
【図１５】
2007187080.tif 000017
【図１６】
2007187080.tif 000018
【図１７】
2007187080.tif 000019
【図１８】
2007187080.tif 000020
【図１９】
2007187080.tif 000021
【図２０】
2007187080.tif 000022